(57)【要約】【課題】既存の接続スリーブを使用しながら、張力が作用していない電線の心線の先端部を接続スリーブ内に容易に挿入することができるようにした間接活線作業用工具を提供する。【解決手段】一方の電線１の心線１ａを挿入した接続スリーブ１００を嵌め込む溝部１１を形成したホルダー部１０と、該ホルダー部１０の先端部側に連続して漏斗形状ないし凹曲面形状に形成され、かつ、前記溝部１１から先端縁までスリット２１を形成した導入部２０と、一方の電線１の絶縁被覆体１ｂを保持するために前記ホルダー部１０の後端部１０２に連続して形成されたグリップ部３０とが備えられている。また、溝部１１内に突出自在とされて接続スリーブ１００の先端側の側面を押圧するプッシャ１２と、該プッシャ１２の先端部が定常状態において溝部１１内に突出しないようにするための付勢部材１５とが前記ホルダー部１０内に備えられている。【選択図】図６
2010022130.tif 000002
【特許請求の範囲】
【請求項１】
張力が作用していない一方の電線の絶縁被覆体から突出している心線の先端部を接続スリーブ内に後端部側から挿入し圧着した後に、張力が作用していない他方の電線の絶縁被覆体から露出している心線の先端部を接続スリーブ内に先端部側から挿入する間接活線作業用工具であって、
一方の電線の心線を挿入し圧着した接続スリーブを嵌め込む溝部を形成したホルダー部と、該ホルダー部の先端部側に連続して漏斗形状ないし凹曲面形状に形成され、かつ、前記溝部から先端縁までスリットを形成した導入部と、一方の電線の絶縁被覆体を保持するために前記ホルダー部の後端部に連続して形成されたグリップ部とが備えられていることを特徴とする間接活線作業用工具。
【請求項２】
前記グリップ部は、離間して開いた状態と前記一方の電線の絶縁被覆体を挟持する閉じた状態とに接離ないし開閉する半割れの一対のクランパを備えていることを特徴とする請求項１に記載の間接活線作業用工具。
【請求項３】
前記溝部内に突出自在とされて接続スリーブの先端側の側面を押圧するプッシャと、該プッシャの先端部が定常状態において溝部内に突出しないようにするための付勢部材とが前記ホルダー部内に備えられていることを特徴とする請求項１又は２に記載の間接活線作業用工具。
【請求項４】
前記付勢部材は、側面視Ｖ字形ないしＵ字形に成型された板バネであり、先端部に前記プッシャが固定されていることを特徴とする請求項３に記載の間接活線作業用工具。
【発明の詳細な説明】
【技術分野】
【０００１】
本発明は、張力が作用していない一方の電線と他方の電線の各心線の先端部を接続スリーブ内に各端部側から挿入し、圧着することによって両電線を接続するために使用する間接活線作業用工具に関し、詳しくは、一方の電線の心線の先端部を圧着した接続スリーブを保持し、他方の電線の心線の先端部を接続スリーブ内に挿入しやすくするための間接活線作業用工具に関する。
【背景技術】
【０００２】
高圧引下線などの架線工事において、切断された一方の電線の先端部と他方の電線の先端部とは筒状の接続スリーブによって接続される。電線は、心線が絶縁体によって被覆されているが、架線工事では、絶縁体の先端部が剥がされ、芯線を露出させている。
【０００３】
そして、作業者が手元で一方の電線の心線の先端部を接続スリーブ内に後端部側から挿入し、接続スリーブの後端部側の側面を所定の工具によって押圧することで、心線の先端部を接続スリーブに圧着する。その後、２人の作業者が間接活線工具などを使用して、例えば１．５ｍほど上方に離れた位置にある他方の電線の心線の先端部を接続スリーブ内に先端部側から挿入し、接続スリーブの先端部側の側面を押圧し、圧着することにより、両心線を接続している。
【０００４】
しかし、例えば、心線の外径は３．２ｍｍ、接続スリーブの内径は３．４ｍｍと非常に細いだけでなく、前記のように１．５ｍほど離れた上方において芯線を接続スリーブ内に挿入しなければならないことから、この作業は至難であり、熟練者でないと、作業に手間取ってしまう。
【０００５】
そこで、ロボットを用いて他方の電線の心線の先端部を接続スリーブ内に先端部側から容易に挿入することができるようにした圧縮接続スリーブ用導体案内具（以下、「案内具」という。）が特許文献１に開示されている。図６に示すように、この案内具１１０は、接続スリーブ１００の先端部１０１に外嵌する取付部１１１と、この取付部１１１から離れるにしたがってラッパ状に開口した案内部１１２とを一体に形成したことを特徴としている。この案内具１１０が接続スリーブ１００の先端部１０１に外嵌されると、電線の先端部が案内部１１２の内壁に案内されながら、接続スリーブ１００内に挿入される。
【０００６】
【特許文献１】特開平８−３３９８４１号公報
【発明の開示】
【発明が解決しようとする課題】
【０００７】
特許文献１に開示された案内具１１０は、既存の接続スリーブ１００に追加して使用するものであるため、製造コストがかかるだけでなく、案内具１１０を接続スリーブ１００に外嵌する作業も面倒である。
【０００８】
そこで、本発明は、既存の接続スリーブを使用しながら、電線の心線の先端部を接続スリーブ内に容易に挿入することができるようにした間接活線作業用工具を提供することを課題とする。
【課題を解決するための手段】
【０００９】
本発明に係る間接活線作業用工具は、張力が作用していない一方の電線の絶縁被覆体から突出している心線の先端部を接続スリーブ内に後端部側から挿入し圧着した後に、張力が作用していない他方の電線の絶縁被覆体から露出している心線の先端部を接続スリーブ内に先端部側から挿入する間接活線作業用工具であって、一方の電線の心線を挿入し圧着した接続スリーブを嵌め込む溝部を形成したホルダー部と、該ホルダー部の先端部側に連続して漏斗形状ないし凹曲面形状に形成され、かつ、前記溝部から先端縁までスリットを形成した導入部と、一方の電線の絶縁被覆体を保持するために前記ホルダー部の後端部に連続して形成されたグリップ部とが備えられていることを特徴としている。
【００１０】
この間接活線作業用工具によれば、一方の電線の絶縁被覆体から突出している心線を後端側から挿入し圧着した接続スリーブがホルダー部に形成された溝部内に嵌め込まれ、この一方の電線の絶縁被覆体がグリップ部に保持された状態で、間接活線作業用工具が操作棒の先端に取り付けられ、接続する他方の電線の絶縁被覆体から突出している心線付近に導入部を位置させ、この心線を導入部内からスリーブ内に容易に挿入することができる。導入部の開口端がスリーブの内径よりも大きく漏斗形状ないし曲面形状に形成されていることにより、他方の電線の心線を導入部からスリーブ内に挿入しやすくされている。
【００１１】
また、前記本発明に係る間接活線作業用工具において、前記グリップ部は、離間して開いた状態と前記一方の電線の絶縁被覆体を挟持する閉じた状態とに接離ないし開閉する半割れの一対のクランパを備えていることが好ましい。
【００１２】
この間接活線作業用工具によれば、一対のクランパが一方の電線の絶縁被覆体を確実に挟持することができる。そして、各クランパに連結体の先端部を接続し、この連結体の基端部に操作棒の把持片を接続することにより、操作棒の長さ分だけ、作業者から離隔した上方の位置、したがって他方の電線の心線付近に間接活線作業用工具の導入部を持ち上げることができる。
【００１３】
また、前記本発明に係る間接活線作業用工具において、前記溝部内に突出自在とされて接続スリーブの先端側の側面を押圧するプッシャと、該プッシャの先端部が定常状態において溝部内に突出しないようにするための付勢部材とが前記ホルダー部内に備えられていることが好ましい。
【００１４】
この間接活線作業用工具によれば、プッシャが備えられたことにより、他方の電線の心線を接続スリーブ内に先端部側から挿入した状態で、プッシャの先端部を溝部内に突出させ、心線を接続スリーブに圧着することができる。また、付勢部材によって定常状態においてプッシャの先端部が溝部内に突出しないことにより、一方の電線の心線を圧着した接続スリーブを溝部内に嵌め込むに際してプッシャが障害とならないようにすることができる。
【００１５】
また、前記本発明に係る間接活線作業用工具において、前記付勢部材は、側面視Ｖ字形ないしＵ字形に成型された板バネであり、先端部に前記プッシャが固定されていることが好ましい。
【００１６】
この間接活線作業用工具によれば、付勢手段が板バネによって構成されることにより、簡易な構造によってプッシャが定常状態において溝部内に突出しないようにすることができる。
【発明の効果】
【００１７】
本発明によれば、接続スリーブを嵌め込む溝部を形成したホルダーの先端部に漏斗形状ないし凹曲面形状に形成された導入部を備えた間接活線作業用工具が提供されるため、既存の接続スリーブを使用しながら、電線の心線の先端部を接続スリーブに容易に挿入することができる。したがって、接続スリーブに接続するための部品を別途、製造し、組み立てることなく、一方の電線と他方の電線の各心線を接続スリーブによって接続する作業性を向上させることができる。
【発明を実施するための最良の形態】
【００１８】
本発明の間接活線作業用工具の一実施形態について図１ないし図６を参照しながら説明する。この間接活線作業用工具は、図１に示すように、基本的に水平姿勢とされるロッド状部材Ａの中央にホルダー部１０、ロッド状部材Ａの先端側に導入部２０、ロッド状部材Ａの後端側にグリップ部３０を連続して設けたものである。
【００１９】
ホルダー部１０の側面には、接続スリーブ１００を嵌め込む溝部１１が形成されている。この溝部１１の幅は、接続スリーブ１００の直径と同一ないし若干大きめとされている。また、この溝部１１のエッジは、接続スリーブ１００を嵌め込みやすいように面取りされている。
【００２０】
そして、導入部２０は、ホルダー部１０の先端側に連続して漏斗形状ないし凹曲面形状に形成されている。この導入部２０は、ロッド状部材Ａの先端部からホルダー部１０の方に窪むように形成されるが、漏斗形状ないし碗形状の撓曲板をホルダー部１０の先端部に突設してもよい。いずれにしても、ホルダー部１０の溝部１１から先端縁までスリット２１が形成されている。
【００２１】
そして、グリップ部３０は、離間して開いた状態と、一方の電線１の絶縁被覆体１ｂを挟持する閉じた状態とに接離する一対のクランパ３１，３１を備えている。一方のクランパ３１は、ロッド状部材Ａが半円柱状にホルダー部１０の後端部に突出する状態に設けられる。他方のクランパ３１は、ロッド状部材Ａとは別部材で、一方のクランパ３１と同一の半円柱状に形成されている。
【００２２】
両クランパ３１，３１は、平坦面同士が重なり合うように組み合わされる。また、各クランパ３１，３１の平坦面には、一方の電線１の絶縁被覆体１ｂの半分が嵌められる樋形状の凹部３１ａ，３１ａが形成されている。
【００２３】
また、各クランパ３１，３１には、図３に示すようなＸ字形に交差する連結体４１，４１の先端部が接続可能とされている。連結体４１，４１の交差部は、ジョイント４２によって連結され、連結体４１，４１の基端部が操作棒５０に接続可能とされている。操作棒５０は、例えば先端部に固定把持片５１と可動把持片５２とを備えたものであり、各把持片５１，５２が各連結体４１，４１の基端部に接続され、可動把持片５２を操作することによって、クランパ３１，３１が接離するようにされている。
【００２４】
そして、ホルダー部１０の先端側には、接続スリーブ１００の先端部１０１側を押圧するためのプッシャ１２が備えられている。そのため、プッシャ１２を進退自在とするための貫通孔１４がホルダー部１０に形成されている。また、プッシャ１２の先端部は、尖鋭に形成され、溝部１１内に突出自在とされている。
【００２５】
また、プッシャ１２は、軸状ないし幅の狭い板状の部材によって構成され、先端が溝部１１内に突出した状態において、外端部がロッド状部材Ａの表面から突出する長さに形成されている。そして、プッシャ１２は、例えば２本一組で、各組のプッシャ１２の外端部が橋架片１３によって連結されている。
【００２６】
また、プッシャ１２の先端部が定常状態において溝部１１内に突出しないようにするため、付勢部材１５がホルダー部１０内に備えられている。付勢部材１５は、例えば側面視Ｖ字形ないしＵ字形に形成された板バネによって形成されている。付勢部材１５の折り曲げられた中心部は、ロッド状部材Ａに埋設された軸１６に取り付けられ、付勢部材１５の先端部がプッシャ１２に固定される。また、付勢部材１５は、貫通孔１４内で作動できるようにされている。
【００２７】
この間接活線作業用工具は、以上のように構成され、次に、この工具を使用して電線１，２の心線１ａ，２ａ同士を接続する方法について説明する。
【００２８】
まず、作業者が手元で、張力の作用していない一方の電線１の絶縁被覆体１ｂから突出している心線１ａの先端部を接続スリーブ１００内に後端部１０２側から挿入し、接続スリーブ１００の後端部１０２側の側面を所定の工具（図示せず）によって押圧することで、心線１ａの先端部を接続スリーブ１００の後端部１０２側に圧着しておく。
【００２９】
そして、図２に示すように、この接続スリーブ１００をホルダー部１０の溝部１１内に嵌め込む。このとき、プッシャ１２の先端部は、付勢部材１５によって溝部１１内に突出していないため、接続スリーブ１００をホルダー部１０の溝部１１内にスムーズに嵌め込むことができる。また、一対のクランパ３１，３１は、離隔した状態とし、一方の電線１の絶縁被覆体１ｂの半分が一方のクランパ３１の凹部３１ａに嵌められる。
【００３０】
そして、各クランパ３１，３１に連結体４１，４１の先端部を取り付ける。なお、各クランパ３１，３１に連結体４１，４１を取り付けた状態で一方の電極１の絶縁被覆体１ｂを一方のクランパ３１の凹部３１ａに嵌めてもよい。
【００３１】
そして、この連結体４１，４１には、操作棒５０の固定把持片５１と可動把持片５２とが接続される。あるいは、予め、連結体４１，４１に両把持片５１，５２を接続しておいてもよい。いずれにしても、図３の仮想線に示すように連結体４１，４１の基端部が広がった状態から、図３の実線に示すように、連結体４１，４１の基端部の間隔が狭められることにより、両クランパ３１，３１が一方の電線１の絶縁被覆体１ｂを挟持する。この一方の電線１の絶縁被覆体１ｂは、各クランパ３１，３１の凹部３１ａ，３１ａ内に保持された状態になって確実に保持される。
【００３２】
そして、作業者が操作棒５０を持ち上げ、導入部２０を他方の電線２の絶縁被覆体２ｂから突出している心線２ａ付近に位置させる。そして、別の作業者又は同じ作業者が、図４に示すように別の操作棒６０によって他方の電線２の絶縁被覆体２ｂを保持し、この電線２の心線２ａの先端部を導入部２０内に位置させる。又は、クランパ３１，３１を接続している操作棒５０を他方の電線２の方へ移動して、他方の電線２の心線２ａを導入部２０内に位置させる。
【００３３】
いずれにしても、この心線２ａの先端部は、図５の実線に示すように接続スリーブ１００と同心に導入部２０内に位置し、あるいは、図５の仮想線に示すように偏向して導入部２０内に位置し、導入部２０から接続スリーブ１００内に先端部側から案内される。すなわち、心線２ａ及び接続スリーブ１００が細く、作業者の上方における作業であっても、導入部２０の開口部が接続スリーブ１００の内径よりも拡径されているため、心線２ａの先端部は、接続スリーブ１００内に容易に挿入することができる。
【００３４】
その後、作業者が別の工具（図示せず）を使用して、図６に示すように、橋架片１３を押圧することにより、プッシャ１２の先端部を溝部１１内に突出させ、接続スリーブ１００の先端側の側面を軽く圧縮し、仮留めする。続いて橋架片１３の押圧を止めると、プッシャ１２の先端部が付勢部材１５のバネ力によって溝部１１内から貫通孔１４内に退入する。
【００３５】
そして、連結体４１，４１を接続している操作棒５０を操作して、一対のクランパ３１，３１を離隔させることにより、一方の電線１の絶縁被覆体１ｂを外すとともに、接続スリーブ１００もホルダー部１０の溝部１１内から外し、他方の電線２も導入部２０内から外す。導入部２０には、スリット２１が形成されていることにより、他方の電線２を導入部２０内から外すことができる。
【００３６】
この時、他方の電線２の心線２ａが接続スリーブ１００に仮留めされることにより、電線１，２が風にあおられても、他方の電線２が接続スリーブ１００から抜けることがない。その後、接続スリーブ１００の先端部１０１側の側面を強くに押圧することによって、他方の電線２の心線２ａを接続スリーブ１００に確実に圧着する。
【００３７】
なお、本発明は、前記実施の形態に限定することなく、種々変更することができる。例えば、付勢部材１５は、プッシャ１２に鍔部を設けることによって、板バネではなく、コイルバネを使用することができる。また、前記実施の形態における間接活線工具は、他方の電線２の心線を接続スリーブ１００に仮留めするため、プッシャ１２を備えたものとしたが、仮留めする必要がない使用状況においては、プッシャ１２を備えないものとしてもよい。
【００３８】
また、前記実施の形態のグリップ部３０は、一対のクランパ３１，３１が接離するものであるが、外側面に蝶番のような接続部材を接続してもよいし、ホルダー部１０に連続する一方のみでクランパ３１を構成し、一方の電線１の絶縁被覆体１ｂをこのクランパ３１の凹部３１ａに嵌め、露出している電線１の絶縁被覆体１ｂを操作棒５０の把持片によって保持するようにしてもよい。
【図面の簡単な説明】
【００３９】
【図１】本発明に係る間接活線作業用工具の一実施形態であって、使用前の状態を示し、（ａ）は断面正面図、（ｂ）は（ａ）のＢ−Ｂ線断面図、（ｃ）は（ａ）のＣ−Ｃ線断面図、（ｄ）は（ａ）のＤ−Ｄ線断面図である。
【図２】本発明に係る間接活線作業用工具の一実施形態であって、使用初期の状態を示し、（ａ）は断面正面図、（ｂ）は（ａ）のＢ−Ｂ線断面図、（ｃ）は（ａ）のＣ−Ｃ線断面図、（ｄ）は（ａ）のＤ−Ｄ線断面図である。
【図３】本発明に係る間接活線作業用工具を使用して、電線を接続している途中の状態を示す概略側面図である。
【図４】本発明に係る間接活線作業用工具を使用して、電線を接続している途中の状態を示す一部断面概略正面図である。
【図５】本発明に係る間接活線作業用工具を使用して、電線を接続している途中の状態を示し、（ａ）は断面正面図、（ｂ）は（ａ）のＢ−Ｂ線断面図、（ｃ）は（ａ）のＣ−Ｃ線断面図、（ｄ）は（ａ）のＤ−Ｄ線断面図である。
【図６】本発明に係る間接活線作業用工具を使用して、電線を接続している最終の状態を示し、（ａ）は断面正面図、（ｂ）は（ａ）のＢ−Ｂ線断面図、（ｃ）は（ａ）のＣ−Ｃ線断面図、（ｄ）は（ａ）のＤ−Ｄ線断面図である。
【図７】接続スリーブに取り付ける従来の圧縮接続スリーブ用導体案内具を示す一部断面正面図である。
【符号の説明】
【００４０】
１………電線
１ａ……心線
１ｂ……絶縁被覆体
２………電線
２ａ……心線
２ｂ……絶縁被覆体
１０……ホルダー部
１１……溝部
１２……プッシャ
１５……付勢部材
２１……スリット
３０……グリップ部
３１……クランパ
１００…接続スリーブ
１０１…先端部
１０２…後端部
【図１】
2010022130.tif 000003
【図２】
2010022130.tif 000004
【図３】
2010022130.tif 000005
【図４】
2010022130.tif 000006
【図５】
2010022130.tif 000007
【図６】
2010022130.tif 000008
【図７】
2010022130.tif 000009